【手続補正書】
【提出日】平成26年8月7日(2014.8.7)
【手続補正１】
【補正対象書類名】明細書
【補正対象項目名】発明の名称
【補正方法】変更
【補正の内容】
【発明の名称】画像表示装置およびマイクロレンズアレイ
【手続補正２】
【補正対象書類名】明細書
【補正対象項目名】０００１
【補正方法】変更
【補正の内容】
【０００１】
この発明は、画像表示装置およびマイクロレンズアレイに関する。
【手続補正３】
【補正対象書類名】明細書
【補正対象項目名】０００２
【補正方法】変更
【補正の内容】
【０００２】
この発明の画像表示装置は、自動車、列車、船舶、ヘリコプター、飛行機など各種の、運転可能な移動体に「ヘッドアップディスプレイ装置」として搭載できる。
【手続補正４】
【補正対象書類名】明細書
【補正対象項目名】００１４
【補正方法】変更
【補正の内容】
【００１４】
この発明は、上述した事情に鑑みてなされたものである。  
即ち、この発明は、コヒーレントな光束の２次元走査により表示される２次元画像の明るさを確保しつつ、干渉性ノイズを軽減できる画像表示装置の実現を課題とする。
【手続補正５】
【補正対象書類名】明細書
【補正対象項目名】００１５
【補正方法】変更
【補正の内容】
【００１５】
この発明の画像表示装置は、光源と、前記光源の光によって画像を形成するための画像形成素子と、前記画像を形成する光が照射されるマイクロレンズアレイと、を備え、前記マイクロレンズアレイに照射された光を用いて画像を表示させる画像表示装置において、
前記マイクロレンズアレイは、複数のマイクロレンズが、相互に近接して配列された構造を有し、隣接するマイクロレンズの境界部をなす面の曲率半径：ｒが、前記光の波長：λよりも小さいことを特徴とする画像表示装置。
【手続補正６】
【補正対象書類名】明細書
【補正対象項目名】００１６
【補正方法】変更
【補正の内容】
【００１６】
この発明の画像表示装置では、マイクロレンズの境界部に遮光領域を用いる必要が無いため、表示される２次元画像の明るさを良好に保持できる。
【手続補正７】
【補正対象書類名】明細書
【補正対象項目名】００１７
【補正方法】変更
【補正の内容】
【００１７】
マイクロレンズの境界部をなす面の曲率半径：ｒが、画素表示用ビームの波長：λよりも小さいので、この境界部で画素表示用ビームは拡散されない。
【手続補正８】
【補正対象書類名】明細書
【補正対象項目名】００１８
【補正方法】変更
【補正の内容】
【００１８】
従って、境界部を透過したコヒーレントな光と、マイクロレンズで拡散された光束との干渉が有効に軽減され、干渉性ノイズを有効に軽減できる。
【手続補正９】
【補正対象書類名】明細書
【補正対象項目名】００１９
【補正方法】変更
【補正の内容】
【００１９】
【図１】画像表示装置の実施の１形態を説明するための図である。
【図２】微細凸レンズによる拡散と干渉性ノイズ発生を説明するための図である。
【図３】干渉性ノイズの除去を説明するための図である。
【図４】微細凸レンズの配列形態例を３例示す図である。
【図５】微細凸レンズの配列形態の他の例を５例示す図である。
【図６】アナモフィックな微細凸レンズを説明するための図である。
【図７】被走査面素子の例を２例説明する図である。
【手続補正１０】
【補正対象書類名】明細書
【補正対象項目名】００２０
【補正方法】変更
【補正の内容】
【００２０】
以下、実施の形態を説明する。  
図１は、画像表示装置（以下「２次元画像表示装置」とも言う。）の実施の１形態を説明するための図である。
【手続補正１１】
【補正対象書類名】明細書
【補正対象項目名】００２５
【補正方法】変更
【補正の内容】
【００２５】
図１（ｂ）において、符号ＲＳ、ＧＳ、ＢＳで示す「光源としての半導体レーザ」は、それぞれＲ、Ｇ、Ｂのレーザ光を放射する。
【手続補正１２】
【補正対象書類名】明細書
【補正対象項目名】００３６
【補正方法】変更
【補正の内容】
【００３６】
上記の如く２次元的に偏向された画素表示用ビームＬＣは、凹面鏡７に入射し、「マイクロレンズアレイ」である被走査面素子８に向けて反射される。
【手続補正１３】
【補正対象書類名】明細書
【補正対象項目名】０１１６
【補正方法】変更
【補正の内容】
【０１１６】
上には、図１に示す２次元画像表示装置（ヘッドアップディスプレイ装置）について説明した。
２次元画像表示装置は、光源部と、該光源部からの光によって画像を形成するための画像形成素子と、前記画像を形成する光が照射される被走査面素子と、を備え、前記被走査面素子に照射された光を用いて画像を表示させる画像表示装置である。
被走査面素子は、複数のマイクロレンズが、相互に近接して配列されたマイクロレンズアレイ構造を有し、隣接するマイクロレンズの境界部をなす面の曲率半径：ｒが、前記光の波長：λよりも小さい。
【手続補正１４】
【補正対象書類名】特許請求の範囲
【補正対象項目名】全文
【補正方法】変更
【補正の内容】
【特許請求の範囲】
【請求項１】
光源部と、
前記光源部からの光によって画像を形成するための画像形成素子と、
前記画像を形成する光が照射されるマイクロレンズアレイと、を備え、
前記マイクロレンズアレイに照射された光を用いて画像を表示させる画像表示装置において、
前記マイクロレンズアレイは、複数のマイクロレンズが、相互に近接して配列された構造を有し、隣接するマイクロレンズの境界部をなす面の曲率半径：ｒが、前記光の波長：λよりも小さいことを特徴とする画像表示装置。
【請求項２】
請求項１記載の画像表示装置において、
光源部は複数の光源を有し、
前記複数の光源は、互いに異なる波長の光を放射するものであり、
マイクロレンズアレイにおいて、隣接するマイクロレンズの境界部の曲率半径：ｒが、前記複数の光の波長のうちの最長波長：λｍよりも小さいことを特徴とする画像表示装置。
【請求項３】
請求項１または２記載の画像表示装置において、
画像形成素子は、光源の光を画素表示用ビームとして２次元的に偏向させる２次元偏向手段であり、
該２次元偏向手段により２次元的に偏向された前記画素表示用ビームの偏向範囲を調整し、マイクロレンズアレイの走査範囲を規制する偏向範囲規制手段を有することを特徴とする画像表示装置。
【請求項４】
請求項１〜３の任意の１に記載の画像表示装置において、
マイクロレンズアレイに形成されたマイクロレンズが、画像表示用ビームを縦方向よりも横方向に広い拡散角で拡散させるアナモフィックなレンズであることを特徴とする画像表示装置。
【請求項５】
請求項１〜４の任意の１に記載の画像表示装置において、
マイクロレンズアレイの有する個々のマイクロレンズが、長方形形状であり、正方行列状に配列されていることを特徴とする画像表示装置。
【請求項６】
請求項１〜４の任意の１に記載の画像表示装置において、
マイクロレンズアレイの有する個々のマイクロレンズが、六角形形状であり、ハニカム状に配列されていることを特徴とする画像表示装置。
【請求項７】
請求項６記載の画像表示装置において、
マイクロレンズのハニカム状の配列が、ジグザグ型配列であることを特徴とする画像表示装置。
【請求項８】
請求項６記載の画像表示装置において、
マイクロレンズのハニカム状の配列が、アームチェア型配列であることを特徴とする画像表示装置。
【請求項９】
請求項５〜８の任意の１に記載の画像表示装置において、
マイクロレンズの横方向の実効画素ピッチ：ＳＸ、縦方向の実効画素ピッチ：ＳＹの比であるアスペクト比：ＳＹ／ＳＸが１より大きいことを特徴とする画像表示装置。
【請求項１０】
請求項１〜９の任意の１に記載の画像表示装置において、
マイクロレンズのレンズ面光軸が、マイクロレンズアレイの基準面に対して直交方向から傾いていることを特徴とする画像表示装置。
【請求項１１】
請求項１〜１０の任意の１に記載の画像表示装置において、
マイクロレンズアレイにより拡散された光の拡散光により拡大虚像を結像させる虚像結像光学系と、
前記拡大虚像の結像位置より手前に設けられ、前記拡大虚像を結像する結像光束を観察部側へ反射させる反射面素子と、を有する画像表示装置。
【請求項１２】
請求項１１記載の画像表示装置において、
運転席の前方に透明部材を備える移動体に搭載され、
前記透明部材を反射面素子として用い、前記透明部材の前方で、且つ、前記運転席から観察可能な位置に拡大虚像を形成することを特徴とする画像表示装置。
【請求項１３】
複数のマイクロレンズが相互に近接して配列した構造を有し、
隣接するマイクロレンズの境界部をなす面の曲率半径：ｒが６４０ｎｍよりも小さいマイクロレンズアレイ。
【請求項１４】
複数のマイクロレンズが相互に近接して配列した構造を有し、
隣接するマイクロレンズの境界部をなす面の曲率半径：ｒが５１０ｎｍよりも小さいマイクロレンズアレイ。
【請求項１５】
複数のマイクロレンズが相互に近接して配列した構造を有し、
隣接するマイクロレンズの境界部をなす面の曲率半径：ｒが、４４５ｎｍよりも小さいマイクロレンズアレイ。